(57)【要約】【課題】アシスタント用インスツルメントホルダに懸架されているインスツルメントを術者にも取り出しやすくするとともに、インスツルメント同志の先端部が接触することのないようにして、これらインスツルメントの破損を防止し、更には、衛生的に保持可能とする。【解決手段】アシスタント用インスツルメントホルダ８は、複数本の歯科用インスツルメント１１〜１３を着脱自在に保持する。前記複数本のインスツルメント１１〜１３のうちの一部（例えば、シリンジ１２）は、垂直方向に取り出し可能に保持され、残りの他のインスツルメント（バキューム管１１，排唾管１３）は斜め前方方向に取り出し可能に保持されている。【選択図】図１
2007130136.tif 000002
【特許請求の範囲】
【請求項１】
複数本の歯科用インスツルメントを着脱自在に保持するアシスタント用インスツルメントホルダにおいて、前記複数本のインスツルメントのうちの一部は垂直方向に取り出し可能に保持され、残りの他のインスツルメントは斜め前方に取り出し可能に保持されることを特徴とするアシスタント用インスツルメントホルダ。
【請求項２】
前記複数本の歯科用インスツルメントは、バキューム管、シリンジ、及び、排唾管であり、前記シリンジが垂直方向に取り出し可能に、前記バキューム管及び排唾管は斜め前方に取り出し可能であることを特徴とする請求項１に記載のアシスタント用インスツルメントホルダ。
【請求項３】
前記バキューム管はインスツルメントホルダの左側に、前記シリンジは中央に、前記排唾管は右側に配設されていることを特徴とする請求項２に記載のアシスタント用インスツルメントホルダ。
【請求項４】
前記バキューム管とシリンジとは、術者がバキューム管を取り出す時に同時にアシスタントがシリンジを取り出すことができる程度に広く間隔を置いて配設されていることを特徴とする請求項３に記載のアシスタント用インスツルメントホルダ。
【発明の詳細な説明】
【技術分野】
【０００１】
本発明は、アシスタント用インスツルメントホルダ、より詳細には、歯科治療において、アシスタントが使用するインスツルメント（ハンドピース）を保持するインスツルメントホルダに係り、特に、アシスタント用インスツルメントを術者も使用することを考慮して、術者にも取り出しやすくし、更には、インスツルメント（ハンドピース）の先端同志が当らないようにして、インスツルメントを衛生的に、更には、インスツルメントを破損しないように保持可能としたアシスタント用インスツルメントホルダに関する。
【背景技術】
【０００２】
図２は、本発明が適用されるアシスタント用インスツルメントホルダを有する歯科治療ユニットの一例を示す全体構成図で、図中、１０は歯科治療ユニットで、該ユニット１０は、治療椅子１，ワークテーブル２，スピットン３，無影灯４，術者用インスツルメントホルダ５，該術者用インスツルメントホルダ５に載置されているインスツルメント６，フットスイッチ７，アシスタント用インスツルメントホルダ８、各インスツルメントにエアー，空気，水等を供給するためのインスツルメントホース９、前記アシスタント用インスツルメントホルダ８に着脱自在に保持されているインスツルメント１１，１２，１３等から成り、アシスタント用インスツルメントホルダ８には、歯科治療においてアシスタントが使用する種々のハンドピース、例えば、バキューム管１１，シリンジ１２，排唾管１３等のハンドピースが収納されており、周知のように、歯科治療に当り、患者は椅子１に座り、頭を安頭台に固定して治療を受ける。治療中、術者は歯科治療１を上下動，倒起動，傾斜動等させて、患者を治療しやすい姿勢にして、術者用インスツルメントホルダ５から所望のインスツルメント（ハンドピース）６を取り出して歯科治療を行い、アシスタントはアシスタント用インスツルメントホルダ８から所望のインスツルメント１１〜１３を取り出して患者の口腔内の清掃等を行う。
【発明の開示】
【発明が解決しようとする課題】
【０００３】
而して、術者用インスツルメントホルダ５には、インスツルメントが水平状態に載置されており、椅子に座った状態で作業をする術者がインスツルメントを引き出しやすいようになっており、アシスタント用インスツルメントホルダ８には、インスツルメントが垂直状態に配設されており、立位で作業するアシスタントがインスツルメントを取り出しやすくなっている。しかし、術者がアシスタント用インスツルメントを使用することもあり、その場合、従来技術のように、アシスタント用インスツルメントホルダ８にインスツルメントが垂直方向に取り出すように配設されていると、術者にとっては、インスツルメントを取り出しにくく使い勝手が悪かった。
【０００４】
本発明は、上述のごとき従来のアシスタント用インスツルメントホルダ８を改良して、つまり、術者も、時には、アシスタント用のインスツルメントホルダ８に懸架されているインスツルメント（ハンドピース）を使用することを考慮して、アシスタント用インスツルメントホルダ８に懸架されているインスツルメントを術者にも取り出しやすくし、同時に、インスツルメントの先端部が接触することのないようにして、これらインスツルメントの破損を防止し、更には、衛生的に保持可能とすることを目的としてなされたものである。
【課題を解決するための手段】
【０００５】
請求項１の発明は、複数本の歯科用インスツルメントを着脱自在に保持するアシスタント用インスツルメントホルダにおいて、前記複数本のインスツルメントのうちの一部は垂直方向に取り出し可能に保持され、残りの他のインスツルメントは斜め前方に取り出し可能に保持されることを特徴としたものである。
【０００６】
請求項２の発明は、請求項１の発明において、前記複数本の歯科用インスツルメントは、バキューム管、シリンジ、及び、排唾管であり、前記シリンジが垂直方向に取り出し可能に、前記バキューム管及び排唾管は斜め前方に取り出し可能であることを特徴としたものである。
【０００７】
請求項３の発明は、請求項２の発明において、前記バキューム管はインスツルメントホルダの左側に、前記シリンジは中央に、前記排唾管は右側に配設されていることを特徴としたものである。
【０００８】
請求項４の発明は、請求項３の発明において、前記バキューム管とシリンジとは、術者がバキューム管を取り出す時に同時にアシスタントがシリンジを取り出すことができる程度に広く、間隔を置いて配設されていることを特徴としたものである。
【発明の効果】
【０００９】
本発明によると、アシスタントが主として使用するシリンジは、立位で使用するアシスタントに好適なように垂直方向に取り出し可能であり、術者が使用することのあるバキューム管及び排唾管は、座位で使用する術者にも立位で使用するアシスタントにも好適なように斜め前方上方に取り出し可能とすることにより、アシスタント用インスツルメントの一部をアシスタント及び術者の両者に対して取り出し可能としたので、歯科治療を効果的に行うことができ、更には、中央部のインスツルメントを垂直方向に取り出し可能とし、両端のインスツルメントを斜め前方上方に取り出し可能とすることにより、インスツルメントの先端部が相互に接触するようなことはなく、これによって、インスツルメントの破損を防止し、更には、インスツルメントを衛生的に保持可能としている。
【００１０】
更には、インスツルメントホルダの左側に配設されているインスツルメントと中央に配設されているインスツルメントとの間隔を広くとっているので、術者が左側のインスツルメントを取り出そうとしている時に（或いは、中央のインスツルメントをアシスタントが取り出そうとしている時に）、アシスタントが中央のインスツルメントを取り出すことができ（或いは、術者が左側のインスツルメントを取り出すことができ）、使い勝手が良い。
【発明を実施するための最良の形態】
【００１１】
図１は、本発明によるアシスタント用インスツルメントホルダの一実施例を説明するための要部概略構成図で、図中、８はアシスタント用インスツルメントホルダ、１１〜１３は該アシスタント用インスツルメントホルダ８に引出し可能に配置されたインスツルメントで、１１はバキューム管、１２はシリンジ、１３は排唾管で、本発明においては、中央のインスツルメント（例えば、シリンジ）は、立位で使用するアシスタントが使用しやすいように垂直方向に取り出し可能に配設され、両端のインスツルメントは術者にもアシスタントにも取り出せるように、斜め前方上方に取り出し可能に配設されている。
【００１２】
従って、左端（術者側からみて）のバキューム管１１と中央のシリンジ１２、及び、中央のシリンジ１２と右端の排唾管１３は、それぞれ隣接しているが、相互に取り出し方向が異なるため、これらインスツルメント（ハンドピース）の先端部が互いに接触するようなことはなく、接触によってインスツルメントが破損するようなことはなく、また、先端部が接触しないので、衛生的である。
【００１３】
また、インスツルメント取り出し時、例えば、術者がバキューム管１１を取り出す時は、インスツルメントホルダの手前からバキューム管１１を握って取り出し、アシスタントがシリンジ１２を取り出す時は、インスツルメントホルダの後側からシリンジ１２を握って取り出すことになるので、場合によっては、バキューム管１１とシリンジ１２との間には、術者の手とアシスタントの手が同時に入ることになる。そのため、本発明におけるインスツルメントホルダにおいては、バキューム管１１とシリンジ１２との間は、両者の手が同時に入る程度に広くあけてある。なお、術者とアシスタントが同時に左利きである場合はあまりないので、これらシリンジ１２と排唾管１３との間は、一人分の手が入る程度にあけておくとよい。
【図面の簡単な説明】
【００１４】
【図１】本発明によるアシスタント用インスツルメントホルダの一実施例を説明するための要部概略構成図である。
【図２】本発明が適用されるアシスタント用インスツルメントホルダを具備した歯科治療ユニットの一例を説明するための概略構成図である。
【符号の説明】
【００１５】
８…アシスタント用インスツルメントホルダ、９…インスツルメントホース、１１…バキューム管、１２…シリンジ、１３…排唾管。
【図１】
2007130136.tif 000003
【図２】
2007130136.tif 000004